(57)【要約】ビデオディスプレイ装置。ビデオディスプレイ装置は、ディスプレイ装置、ディスプレイ、およびビデオデータを格納するメモリデバイスを含む。コントローラは、ビデオシーケンスをメモリデバイスに格納されたビデオデータの関数として表示するように、ディスプレイおよびメモリデバイスを制御する。ビデオディスプレイ装置は、トロフィー、額、襟ピン、スポーツ用品、スポーツ記念品、交換カード、盤ゲームの駒、本の栞、鍵用の小鎖、名刺、デスクアクセサリー、販促提供品、ダイレクトメール品、冷蔵庫マグネット、またはみやげ品へ適合され得る。
2007534989.tif 000002
【特許請求の範囲】
【請求項１】
ディスプレイと、
メモリデバイスと、
該メモリデバイスにビデオデータをプログラミングするための単方向プログラミングポートであって、該メモリデバイスに格納されたデータは、該単方向プログラミングポートを介して読み込まれることのできない、単方向プログラミングポートと、
該ディスプレイ上に、該メモリデバイスに格納された該ビデオデータの関数として表示されるビデオシーケンスを表示するためのコントローラと
を備える、ビデオディスプレイ装置。
【請求項２】
前記ディスプレイ上に、前記ビデオデータの関数として表示される前記ビデオシーケンスの表示を起動する起動手段の提供をさらに備える、請求項１に記載の装置。
【請求項３】
前記起動手段は、光センサ、音センサ、温度センサ、スイッチ、ボタンおよびタイマーのうちの一つを含む、請求項２に記載の装置。
【請求項４】
前記ビデオデータは、第１のビデオシーケンスおよび第２のビデオシーケンスを含み、前記コントローラは、前記起動手段が起動していないとき、該第１のビデオシーケンスを表示し、該起動手段が起動しているとき該第２のビデオシーケンスを表示する、請求項２に記載の装置。
【請求項５】
前記コントローラは、前記第２のビデオシーケンスを表示した後に自動的に前記第１のビデオシーケンスを表示する、請求項４に記載の装置。
【請求項６】
前記第１のビデオシーケンスは、時間、温度、気圧、および湿度のうちの一つに関係する、請求項４に記載の装置。
【請求項７】
前記装置は、独立型装置に適合される、請求項１に記載の装置。
【請求項８】
前記装置は、トロフィー、額、襟ピン、スポーツ用品、スポーツ記念品、交換カード、盤ゲームの駒、本の栞、鍵用の小鎖、名刺、デスクアクセサリー、販促提供品、ダイレクトメール品、冷蔵庫マグネット、グリーティングカードおよびみやげ品のうちの一つに適合される、請求項１に記載の装置。
【請求項９】
前記装置は、ケースに収納される、請求項１に記載の装置。
【請求項１０】
前記装置は、トロフィー、額、衣服、スポーツ用品、スポーツ記念品、盤ゲームの駒、ランプ、本の栞、デスクアクセサリー、時計、バッグラベル、販促提供品、ダイレクトメール品、みやげ品、ペットアクセサリー、小銭入れ、財布、グリーティングカードおよびマグネットの一つに取り付けられる、請求項９に記載の装置。
【請求項１１】
前記装置は、筐体内に含まれる、請求項１に記載の装置。
【請求項１２】
前記ビデオシーケンスが、広告、説明、自助メッセージ、宗教メッセージ、感傷的なメッセージ、アニメーション、生物、無生物、およびスポーツイベントのうち少なくとも一つを含む、請求項１に記載の装置。
【請求項１３】
前記説明は、医療品および薬品のうちの一つのためである、請求項１２に記載の装置。
【請求項１４】
前記装置は、該装置に電力を供給するために、太陽電池または電池のうちの少なくとも一つを備える、請求項１に記載の装置。
【請求項１５】
前記ビデオシーケンスがダイナミックビデオシーケンスである、請求項１に記載の装置。
【請求項１６】
前記ディスプレイが、実質的に頑丈である、請求項１に記載の装置。
【請求項１７】
オーディオを提供するためのオーディオ手段をさらに備える、請求項１に記載の装置。
【請求項１８】
前記ビデオシーケンスは、３０秒未満である、請求項１に記載の装置。
【請求項１９】
前記ディスプレイは、８．７５平方インチの表面積を有する、請求項１に記載の装置。
【請求項２０】
前記プログラミングポートは、無線インターフェースを含む、請求項１に記載の装置。
【請求項２１】
２個以上のビデオディスプレイ装置を提供する方法であって、
各該装置は、ディスプレイ、ビデオデータを格納するメモリデバイス、該メモリデバイスをプログラミングするためのプログラミングポート、および、該メモリデバイスを制御するコントローラを有する装置であって、
該メモリデバイスは、該メモリデバイスに格納される該ビデオデータの関数として表示されるビデオシーケンスを表示するために、該方法は、
各ビデオディスプレイ装置の該メモリデバイスを、同じビデオデータでプログラミングするステップと、
該プログラミングポートを介する該メモリデバイスの読み取りとプログラミングとを防止するために、各ビデオディスプレイ装置の該プログラミングポートをディスエーブルにするステップと
を包含する、方法。
【請求項２２】
前記プログラミングポートをディスエーブルにするステップは、該プログラミングポートをシーリングするステップ、および、該プログラミングポートを切断するステップのうちのの一つを包含する、請求項２１に記載の方法。
【請求項２３】
前記ビデオディスプレイ装置に、ビデオシーケンスの表示を起動する起動手段を提供するステップをさらに包含し、該ビデオシーケンスは前記ビデオデータの関数として表示される、請求項２１に記載の方法。
【請求項２４】
起動手段は、光センサ、音センサ、温度センサ、スイッチ、ボタンおよびタイマーのうちの一つを含むステップを包含する、請求項２３に記載の方法。
【請求項２５】
前記メモリデバイスをプログラミングするステップは、
第１のビデオシーケンスおよび第２のビデオシーケンスでの前記メモリデバイスのプログラミングするステップは、
前記起動手段が起動していないとき、該第１のビデオシーケンスを表示するステップと、
該起動手段が起動しているとき、該第２のビデオシーケンスを表示するステップと
をさらに包含する、請求項２３に記載の方法。
【請求項２６】
前記第１のビデオシーケンスは、時間、温度、気圧、および湿度のうちの一つに関係する、請求項２５に記載の方法。
【請求項２７】
独立装置として各装置を適合させるステップを、さらに包含する、請求項２１に記載の方法。
【請求項２８】
前記装置を、トロフィー、額、襟ピン、スポーツ用品、スポーツ記念品、交換カード、盤ゲームの駒、本の栞、鍵用の小鎖、名刺、デスクアクセサリー、販促提供品、ダイレクトメール品、冷蔵庫マグネット、グリーティングカードおよびみやげ品のうちの一つへ適合させるステップをさらに包含する、請求項２１に記載の方法。
【請求項２９】
前記装置を、トロフィー、額、衣服、スポーツ用品、スポーツ記念品、盤ゲームの駒、ランプ、本の栞、デスクアクセサリー、時計、バッグラベル、販促提供品、ダイレクトメール品、みやげ品、ペットアクセサリー、小銭入れ、財布、グリーティングカードおよびマグネットの一つへの取り付けるステップを、さらに包含する、請求項２１に記載の方法。
【請求項３０】
前記装置は、筐体に含まれる、請求項２１に記載の方法。
【請求項３１】
前記メモリデバイスのプログラミングするステップは、広告、説明、自助メッセージ、感傷的なメッセージ、アニメーション、生物、無生物、宗教メッセージ、およびスポーツイベントのうちの一つを含むビデオデータを用いて、前記メモリデバイスをプログラミングするステップを含む、請求項２１に記載の方法。
【請求項３２】
前記説明は、医療品および薬品のうちの一つのためである、請求項３１に記載の方法。
【請求項３３】
各装置は、該装置に電力を供給するための太陽電池および電池のうちの少なくとも一つを含む、請求項２１に記載の方法。
【請求項３４】
多数の内蔵ビデオディスプレイ装置が提供される、請求項２１に記載の方法。
【請求項３５】
前記メモリデバイスをプログラミングするステップは、ダイナミックビデオシーケンスを含むビデオデータをプログラミングするステップを包含する、請求項２１に記載の方法。
【請求項３６】
前記装置は、実質的に頑丈である、請求項２１に記載の方法。
【請求項３７】
各装置は、オーディオを提供するオーディオ手段を含む、請求項２１に記載の方法。
【請求項３８】
ディスプレイと、
ビデオデータ格納のためのメモリデバイスと、
該メモリデバイスに格納された該ビデオデータの関数としてビデオシーケンスを表示するために、該ディスプレイおよび該メモリデバイスを制御するためのコントローラと
を備え、
トロフィー、額、襟ピン、スポーツ用品、スポーツ記念品、交換カード、盤ゲームの駒、本の栞、鍵用の小鎖、名刺、デスクアクセサリー、販促提供品、ダイレクトメール品、冷蔵庫マグネット、およびみやげ品の一つに適合される、ビデオディスプレイ装置。
【請求項３９】
電力を供給するための太陽電池および電池のうちの少なくとも一つをさらに備える、請求項３８に記載の装置。
【請求項４０】
前記メモリデバイスは、フラッシュメモリである、請求項３８に記載の装置。
【請求項４１】
前記メモリデバイスは、ビデオデータで事前プログラミングされる、請求項３８に記載の装置。
【請求項４２】
前記ビデオデータは、広告、説明、自助メッセージ、宗教メッセージ、感傷的なメッセージ、アニメーション、生物、無生物、およびスポーツイベントのうちの一つを含む、請求項３８に記載の装置。
【請求項４３】
前記ビデオデータは、ダイナミックビデオシーケンスを含む、請求項３８に記載の装置。
【請求項４４】
前記ディスプレイ上に前記ビデオシーケンスの表示を起動するための起動手段の提供をさらに備え、該ビデオシーケンスは前記ビデオデータの関数として表示される、請求項３８に記載の装置。
【請求項４５】
前記ビデオデータは、第１のビデオシーケンスおよび第２の前記ビデオシーケンスを含み、
前記コントローラは、前記起動手段が起動していないとき、該第１のビデオシーケンスを表示し、該起動手段が起動しているとき該第２のビデオシーケンスを表示する、請求項４４に記載の装置。
【請求項４６】
前記コントローラは、前記第２のビデオシーケンスを表示した後に自動的に前記第１のビデオシーケンスを表示する、請求項４５に記載の装置。
【請求項４７】
前記第１のビデオシーケンスは、時間、温度、気圧、および湿度のうちの一つに関係する、請求項４５に記載の装置。
【請求項４８】
前記ディスプレイが実質的に頑丈である、請求項３８に記載の装置。
【請求項４９】
オーディオを提供するためのオーディオ手段をさらに備える、請求項３８に記載の装置。
【請求項５０】
ディスプレイと、
ビデオデータを格納するためのメモリデバイスと、
該メモリデバイスに格納された該ビデオデータの関数としてビデオシーケンスを表示するように該ディスプレイおよび該メモリデバイスを制御するコントローラと
を備える、ビデオディスプレイ装置であって、
該ビデオディスプレイ装置は、トロフィー、額、衣服、スポーツ用品、スポーツ記念品、盤ゲームの駒、ランプ、本の栞、デスクアクセサリー、時計、バッグラベル。販促提供品、ダイレクトメール品、みやげ品、ペットアクセサリー、小銭入れ、財布およびマグネットのうちの一つへ取り付けられる、ビデオディスプレイ装置。
【請求項５１】
電力を供給するための太陽電池および電池のうちの少なくとも一つをさらに備える、請求項５０に記載の装置。
【請求項５２】
前記メモリデバイスは、フラッシュメモリである、請求項５０に記載の装置。
【請求項５３】
前記メモリデバイスは、ビデオデータで事前にプログラミングされる、請求項５０に記載の装置。
【請求項５４】
前記ビデオデータは、広告、説明、自助メッセージ、宗教メッセージ、感傷的なメッセージ、アニメーション、生物、無生物、およびスポーツイベントのうちの一つを含む、請求項５０に記載の装置。
【請求項５５】
前記ビデオデータは、ダイナミックビデオシーケンスを含む、請求項５０に記載の装置。
【請求項５６】
前記ディスプレイ上に前記ビデオシーケンスの表示を起動するための起動手段の提供をさらに備え、該ビデオシーケンスは、前記ビデオデータの関数として表示される、請求項５０に記載の装置。
【請求項５７】
前記ビデオデータは、第１のビデオシーケンスおよび第２のビデオシーケンスを含み、
コントローラは、前記起動手段が起動していないとき、該第１のビデオシーケンスを表示し、該起動手段が起動しているとき、該第２のビデオシーケンスを表示する、請求項５６に記載の装置。
【請求項５８】
前記コントローラは、前記第２のビデオシーケンスを表示した後に自動的に前記第１のビデオシーケンスを表示する、請求項５７に記載の装置。
【請求項５９】
前記第１のビデオシーケンスは、時間、温度、気圧、および湿度のうちの一つに関係する、請求項５７に記載の装置。
【請求項６０】
前記ディスプレイが実質的に頑丈である、請求項５０に記載の装置。
【請求項６１】
オーディオを提供するオーディオ手段をさらに備える、請求項５０に記載の装置。
【請求項６２】
ディスプレイと、
第１のビデオシーケンスおよび第２のビデオシーケンスを含むビデオデータを用いて、事前プログラミングされるメモリデバイスと、
該第１および第２のビデオシーケンスを表示するために、該ディスプレイおよび該メモリデバイスを制御するコントローラと、
該第２のビデオシーケンスの表示を起動するための起動手段と
を備え、
該起動手段が起動していないとき、該第１のビデオシーケンスが表示される、ビデオディスプレイ装置。
【請求項６３】
前記起動手段は、光センサ、音センサ、温度センサ、スイッチ、ボタンおよびタイマーのうちの一つを含む、請求項６２に記載の装置。
【請求項６４】
前記第２のビデオシーケンスの完了後に、自動的に前記第１のビデオシーケンスが表示される、請求項６２に記載の装置。
【請求項６５】
前記第１のビデオシーケンスは、時間、温度、気圧、および湿度の一つに関係する、請求項６２に記載の装置。
【請求項６６】
ディスプレイと、
ビデオデータで事前プログラミングされるメモリデバイスと、
該メモリデバイスに格納された該ビデオデータの関数として前記ディスプレイ上にビデオシーケンスを表示するためのコントローラと
を備え、ビデオディスプレイ装置であって、
該装置は、プログラミングポートがない、ビデオディスプレイ装置。
【請求項６７】
前記ディスプレイ上に前記ビデオシーケンスの表示を起動するための起動手段の提供をさらに備え、該ビデオシーケンスは、前記ビデオデータの関数として表示される、請求項６６に記載の装置。
【請求項６８】
前記コントローラは、前記起動手段の起動次第、オペレータとのさらなる対話なしに、前記ビデオシーケンス全体を表示する、請求項６７に記載の装置。
【請求項６９】
前記コントローラは、前記起動手段の起動次第、前記メモリデバイスに格納された前記ビデオデータのみに基づき、前記ビデオシーケンス全体を表示する、請求項６７に記載の装置。
【請求項７０】
前記起動手段は、光センサ、音センサ、温度センサ、スイッチ、ボタンおよびタイマーのうちの一つを含む、請求項６７に記載の装置。
【請求項７１】
前記ビデオデータは、第１のビデオシーケンスおよび第２のビデオシーケンスを含み、および、コントローラは、前記起動手段が起動していないとき、該第１のビデオシーケンスを表示し、該起動手段が起動しているとき、該第２のビデオシーケンスを表示する、請求項６７に記載の装置。
【請求項７２】
前記コントローラは、前記第２のビデオシーケンスを表示した後に、自動的に前記第１のビデオシーケンスを表示する、請求項７１に記載の装置。
【請求項７３】
前記第１のビデオシーケンスは、時間、温度、気圧、および湿度のうちの一つに関係する、請求項７１に記載の装置。
【請求項７４】
前記装置は、トロフィー、額、襟ピン、スポーツ用品、スポーツ記念品、交換カード、盤ゲームの駒、本の栞、鍵用の小鎖、名刺、デスクアクセサリー、販促提供品、ダイレクトメール品、冷蔵庫マグネット、グリーティングカードおよびみやげ品のうちの一つに適合される、請求項６６に記載の装置。
【請求項７５】
前記装置は、ケースに収納される、請求項６６に記載の装置。
【請求項７６】
前記装置は、トロフィー、額、衣服、スポーツ用品、スポーツ記念品、盤ゲームの駒、ランプ、本の栞、デスクアクセサリー、時計、バッグラベル、販促提供品、ダイレクトメール品、みやげ品、ペットアクセサリー、小銭入れ、財布、グリーティングカードおよびマグネットのうちの一つへ取り付けられる、請求項７５に記載の装置。
【請求項７７】
前記装置は、筐体に含まれる、請求項６６に記載の装置。
【請求項７８】
前記ビデオシーケンスは、広告、説明、自助メッセージ、宗教メッセージ、感傷的なメッセージ、アニメーション、生物、無生物、およびスポーツイベントのうちの少なくとも一つを含む、請求項６６に記載の装置。
【請求項７９】
前記説明は、医療品および薬品のうちの一つのためである、請求項７８に記載の装置。
【請求項８０】
前記装置は、該装置に電力を供給するための太陽電池および電池のうちの少なくとも一つを含む、請求項６６に記載の装置。
【請求項８１】
前記ビデオシーケンスは、ダイナミックビデオシーケンスである、請求項６６に記載の装置。
【請求項８２】
前記ディスプレイは、実質的に頑丈である、請求項６６に記載の方法。
【請求項８３】
オーディオを提供するためのオーディオ手段をさらに備える、請求項６６に記載の装置。
【請求項８４】
ビデオディスプレイ装置を提供する方法であって、
ビデオデータでメモリデバイスをプログラミングするステップと
該ビデオディスプレイ装置を形成するために、プログラミングされたメモリデバイス、ディスプレイ、および、コントローラを組み立てるステップと、
を包含する、方法であって、
該コントローラは、該メモリデバイスに格納された該ビデオデータの関数として表示されるビデオシーケンスを表示するため、該ディスプレイおよび該メモリデバイスを制御する、方法。
【請求項８５】
前記組み立てるステップは、ビデオディスプレイ装置上に、前記ビデオデータの関数として表示されるビデオシーケンスの表示を起動する起動手段を提供するステップを包含する、請求項８４に記載の方法。
【請求項８６】
前記起動手段は、光センサ、音センサ、温度センサ、スイッチ、ボタンおよびタイマーのうちの一つを含む、請求項８５に記載の方法。
【請求項８７】
前記メモリデバイスのプログラミングするステップは、第１のビデオシーケンスおよび第２のビデオシーケンスを用いて、前記メモリデバイスのプログラミングするステップを包含し、
前記起動手段が起動していないとき、該第１のビデオシーケンスを表示するステップと、
該起動手段が起動しているとき、該第２のビデオシーケンスを表示するステップと
をさらに包含する、請求項８５に記載の方法。
【請求項８８】
前記第１のビデオシーケンスは、時間、温度、気圧、および湿度のうちの一つに関係する、請求項８７に記載の方法。
【請求項８９】
前記コントローラは、前記起動手段の起動次第、オペレータとのさらなる対話なしに、前記ビデオシーケンス全体を表示する、請求項８５に記載の装置。
【請求項９０】
前記コントローラは、前記起動手段の起動次第、前記メモリデバイスに格納された前記ビデオデータのみに基づき、前記ビデオシーケンス全体を表示する、請求項８５に記載の装置。
【請求項９１】
前記装置を独立型装置として適合するステップをさらに包含する、請求項９１に記載の方法。
【請求項９２】
前記装置を、トロフィー、額、襟ピン、スポーツ用品、スポーツ記念品、交換カード、盤ゲームの駒、本の栞、鍵用の小鎖、名刺、デスクアクセサリー、販促提供品、ダイレクトメール品、冷蔵庫マグネット、グリーティングカードおよびみやげ品のうちの一つへ適合するステップをさらに包含する、請求項８４に記載の方法。
【請求項９３】
前記装置を、トロフィー、額、衣服、スポーツ用品、スポーツ記念品、盤ゲームの駒、ランプ、本の栞、デスクアクセサリー、時計、バッグラベル、販促提供品、ダイレクトメール品、みやげ品、ペットアクセサリー、小銭入れ、財布、グリーティングカードおよびマグネットのうちの一つへ取り付けるステップをさらに包含する、請求項８４に記載の方法。
【請求項９４】
前記装置を筐体へ収納するステップをさらに包含する、請求項８４に記載の方法。
【請求項９５】
前記メモリデバイスをプログラミングするステップは、広告、説明、自助メッセージ、感傷的なメッセージ、アニメーション、生物、無生物、宗教メッセージ、およびスポーツイベントのうちの少なくとも一つを含むビデオデータを用いて、該メモリデバイスをプログラミングするステップを包含する、請求項８４に記載の方法。
【請求項９６】
前記説明は、医療品および薬品のうちの一つのためである、請求項９５に記載の方法。
【請求項９７】
前記メモリデバイスをプログラミングするステップは、ダイナミックビデオシーケンスを含むビデオデータをプログラミングするステップを包含する、請求項８４に記載の方法。
【請求項９８】
ビデオディスプレイ装置を提供する方法であって、
メモリデバイス、ディスプレイ、およびコントローラを組み立てるステップと、
ビデオデータを用いて、該メモリデバイスをプログラミングするステップと、
プログラミングされた該メモリデバイス、該ディスプレイ、および該コントローラをケース内に収納するステップと
を包含し、
該コントローラは、該メモリデバイスに格納された該ビデオデータの関数として表示されるビデオシーケンスを表示するために、該ディスプレイおよび該メモリデバイスを制御する、方法。
【請求項９９】
前記組み立てるステップは、ビデオシーケンスの表示を起動する起動手段を提供するステップを包含し、該ビデオシーケンスは、前記ビデオデータの関数として表示される、請求項９８に記載の方法。
【請求項１００】
前記起動手段は、光センサ、音センサ、温度センサ、スイッチ、ボタンおよびタイマーのうちの一つを含む、請求項９９に記載の方法。
【請求項１０１】
前記メモリデバイスをプログラミングするステップは、第１のビデオシーケンスおよび第２のビデオシーケンスを用いて、該メモリデバイスをプログラミングするステップを包含し、
前記起動手段が起動していないとき、該第１のビデオシーケンスを表示するステップと、
該起動手段が起動しているとき、該第２のビデオシーケンスを表示するステップと
をさらに包含する、請求項９９に記載の方法。
【請求項１０２】
前記第１のビデオシーケンスは、時間、温度、気圧、および湿度のうちの一つに関係する、請求項１０１に記載の方法。
【請求項１０３】
前記コントローラは、前記起動手段の起動次第、オペレータとのさらなる対話なしに、前記ビデオシーケンス全体を表示する、請求項９９に記載の装置。
【請求項１０４】
前記コントローラは、前記起動手段の起動次第、前記メモリデバイスに格納された前記ビデオデータのみに基づき、前記ビデオシーケンス全体を表示する、請求項９９に記載の装置。
【請求項１０５】
前記装置を独立型装置として適合するステップをさらに包含する、請求項９８に記載の方法。
【請求項１０６】
前記装置を、トロフィー、額、襟ピン、スポーツ用品、スポーツ記念品、交換カード、盤ゲームの駒、本の栞、鍵用の小鎖、名刺、デスクアクセサリー、販促提供品、ダイレクトメール品、冷蔵庫マグネット、グリーティングカードおよびみやげ品の一つへ適合するステップをさらに包含する、請求項９８に記載の方法。
【請求項１０７】
前記装置を、トロフィー、額、衣服、スポーツ用品、スポーツ記念品、盤ゲームの駒、ランプ、本の栞、デスクアクセサリー、時計、バッグラベル、販促提供品、ダイレクトメール品、みやげ品、ペットアクセサリー、小銭入れ、財布、グリーティングカードおよびマグネットの一つへ取り付けるステップをさらに包含する、請求項９８に記載の方法。
【請求項１０８】
前記装置を筐体へ収納するステップをさらに包含する、請求項９８に記載の方法。
【請求項１０９】
メモリデバイスをプログラミングするステップは、広告、説明、自助メッセージ、感傷的なメッセージ、アニメーション、生物、無生物、宗教メッセージ、およびスポーツイベントのうちの一つを含むビデオデータを用いて、メモリデバイスをプログラミングするステップを含む、請求項９８に記載の方法。
【請求項１１０】
前記説明は、医療品および薬品のうちの一つのためである、請求項１０９に記載の方法。
【請求項１１１】
前記メモリデバイスをプログラミングするステップは、ダイナミックビデオシーケンスを含むビデオデータをプログラミングするステップを包含する、請求項９８に記載の方法。
【発明の詳細な説明】
【技術分野】
【０００１】
本発明は、ビデオ表示（ｖｉｄｅｏ  ｐｒｅｓｅｎｔａｔｉｏｎ）に関する。さらに詳細には、広範囲の種々の用途に使用され得るビデオシーケンスを表示するビデオディスプレイ装置に関する。
【背景技術】
【０００２】
多くの品物は、ビデオイメージまたはビデオイメージの連続によって価値を高めることができる。そのような品物の例には、トロフィー、冷蔵庫マグネット、みやげ品、および、ロケット（ｌｏｃｋｅｔ）を含む。しかし、そのような品物にビデオを組込むことは、たとえば、サイズ、コスト、複雑性および／または電源の制約によって、妨げられてきた。
【０００３】
さらに、そのような品物のメーカーは、通常、比較的複雑なビデオディスプレイ装置を組み立てる能力がなく、産業界で入手可能なものから選ばねばならない。しかし、現在の内蔵型ディスプレイは、通常、この特定の用途に不適当な２つのタイプである。すなわち、１）計算機や携帯型ゲームなどの特定の用途の装置に組込まれたディスプレイ、および、２）カメラディスプレイ、コンピュータ、携帯電話、およびＰＤＡ装置のようなディスプレイを使用するためにオペレータが多くの対話（ｉｎｔｅｒａｃｔｉｏｎ）を必要とする益々高度化した装置である。広範囲のビデオイメージを表示する能力があり、さらに外部入力が必要なく、ユーザーの操作が最小である内蔵型で十分に完成された電子ビデオディスプレイ装置は、現在のところ無い。
【０００４】
さらに、多くの用途にとって大きな懸念は、ビデオディスプレイ装置に格納されたビデオデータがコピーされ、その結果、不法に販売され得ることである。このため、これらの用途に関して、ビデオディスプレイ装置からのビデオデータのダウンロードを防止することは、大きなメリットがある。
【発明の開示】
【課題を解決するための手段】
【０００５】
本発明の第１の実施形態に従って、ディスプレイ、メモリデバイス、およびビデオデータをメモリデバイスにプログラミングするための単方向プログラミングポートを含むビデオディスプレイ装置が提供される。メモリデバイスに格納されるビデオデータは、単方向プログラミングポートを介して読取りはできない。コントローラはディスプレイ上にビデオシーケンスを表示し、ビデオシーケンスはメモリデバイスに格納されたビデオデータの関数として表示される。
【０００６】
本発明の別の実施形態に従って、２個以上のビデオディスプレイ装置を提供する方法が提示される。各装置は、ディスプレイ、ビデオデータを格納するメモリデバイス、メモリデバイスをプログラミングするためのプログラミングポート、および、メモリデバイスに格納されたビデオデータの関数として表示されるビデオシーケンスを表示するためにディスプレイとメモリデバイスを制御するコントローラを有する。その方法は、同じビデオデータで各ビデオディスプレイ装置のメモリデバイスをプログラミングすることを含む。各ビデオディスプレイ装置のプログラミングポートは、プログラミングポートを介するメモリデバイスの読み取りとプログラミングを防止するために、ディスエーブルにされる。
【０００７】
関連の実施形態において、プログラミングポートをディスエーブルにすることは、プログラミングポートのシーリングおよび切断を含み得る。
【０００８】
本発明のさらなる別の実施形態に従って、ビデオディスプレイ装置は、ディスプレイ、ビデオデータによって事前にプログラミングされたメモリデバイス、およびコントローラを含む。コントローラは、ディスプレイ上にビデオシーケンスを表示し、ビデオシーケンスはメモリデバイスに格納されたビデオデータの関数として表示される。この装置には、プログラミングポートがない。
【０００９】
関連の実施形態において、起動手段は、ディスプレイ上にビデオシーケンスの表示を起動し、ビデオシーケンスはビデオデータの関数として表示される。コントローラは、起動手段の起動次第、オペレータとのさらなる対話なしに、ビデオシーケンス全体を表示し得る。コントローラは、起動手段の起動次第、メモリデバイスに格納されたビデオデータにのみ基づき、ビデオシーケンス全体を表示し得る。
【００１０】
本発明のさらに別の実施形態に従って、ビデオディスプレイ装置を提供する方法は、ビデオデータを用いて、メモリデバイスをプログラミングするステップを包含する。プログラミングされたメモリデバイス、ディスプレイおよびコントローラは、その後組立てられ、ビデオディスプレイ装置を形成する。コントローラは、メモリデバイスに格納されたビデオデータの関数として表示されるビデオシーケンスを表示するため、ディスプレイとメモリデバイスを制御する。
【００１１】
本発明の別の実施形態に従って、ビデオディスプレイ装置を提供する方法は、メモリデバイス、ディスプレイ、およびコントローラを組立てるステップを包含する。組立て後、メモリデバイスは、ビデオデータでプログラミングされる。プログラミングされたメモリデバイス、ディスプレイおよびコントローラは、その後ケースに収納され、そこでコントローラは、メモリデバイスに格納されたビデオデータの関数として表示されるビデオシーケンスを表示するため、ディスプレイとメモリデバイスを制御する。
【００１２】
本発明の別の実施形態に従って、および／または上記の実施形態に関係して、ディスプレイ、メモリデバイス、およびコントローラを含むビデオディスプレイ装置は、トロフィー、入賞の額、襟ピン、スポーツ用品、スポーツ記念品、交換カード、盤ゲームの駒、本の栞、鍵用の小鎖、名刺、デスクアクセサリー、販促提供品、ダイレクトメール品、冷蔵庫マグネット、グリーティングカードまたはみやげ品に適合され得る。代わりに、ビデオディスプレイ装置は、トロフィー、入賞の額、衣服、スポーツ用品、スポーツ記念品、盤ゲームの駒、ランプ、本の栞、デスクアクセサリー、時計、バッグラベル、販促提供品、ダイレクトメール品、みやげ品、ペットアクセサリー、小銭入れ、財布、グリーティングカードまたはマグネットに取り付けられ得る。
【００１３】
本発明の別の実施形態に従って、および／または上記の実施形態に関係して、ディスプレイ、メモリデバイス、およびコントローラを含むビデオディスプレイ装置は、ディスプレイ上のビデオシーケンスの表示を起動するための起動手段を含む。ビデオシーケンスは、メモリデバイスに格納されたビデオデータの関数として表示される。種々の実施形態において、起動手段は、光センサ、音センサ、温度センサ、スイッチ、ボタンおよびタイマーのうちの一つを含む。ビデオデータは、第１のビデオシーケンスおよび第２のビデオシーケンスを含み得、そこでは、コントローラは、起動手段が起動していないとき第１のビデオシーケンスを表示し、起動手段が起動しているとき第２のビデオシーケンスを表示する。コントローラは、第２のビデオシーケンスを表示した後に自動的に第１のビデオシーケンスを表示する。第１のビデオシーケンスは、時間、温度、気圧、および湿度に関係し得る。
【００１４】
種々の実施形態において、ビデオシーケンスは以下のものを含む。広告、説明、自助メッセージ、宗教メッセージ、感傷的なメッセージ、アニメーション、生物および無生物、および／またはスポーツイベントを含む。説明は、たとえば、医療品、薬品またはその他の種類の製品であり得る。装置は、装置に電力を供給するための太陽電池または電池を含み得る。ビデオシーケンスは、ダイナミックビデオシーケンスであり得る。ビデオシーケンスは３０秒未満であり得る。装置は、８．７５平方インチの表面積を有し得る。装置は、実質的に頑丈またはフレキシブルであり得るが、これに限定されない。装置は、オーディオを提供するためのオーディオ手段を含み得る。
【００１５】
本発明の前述の特徴は、添付の図面に関してなされた下記の詳細な説明を参照することによって、より容易に理解される。
【発明を実施するための最良の形態】
【００１６】
定義。この説明および添付の特許請求の範囲において使用されているように、下記の用語は、文脈で他の意味が要求されていなければ、以下に指示された意味を有する。
【００１７】
「ビデオ」とは視覚イメージの電子的な処理に関することを意味する。
【００１８】
図示した実施形態において、大量生産可能で、広範囲の種々の用途に使用できるディスプレイ装置が提示されている。とりわけ、ビデオディスプレイ装置は、プログラミングポートを含み得、それによりビデオデータは、ディスプレイメーカーまたは小売業者によって都合よくメモリにプログラミング可能となる。プログラミングポートは単方向（ｕｎｉｄｉｒｅｃｔｉｏｎａｌ）、またはディスエーブルとすることが可能で、それによってビデオデータのコピーが防止され得る。代わりに、ビデオディスプレイ装置はプログラミングポートを含まないで、プログラミング済みメモリを含み得る。
【００１９】
図１は、本発明の実施形態に従った内蔵型ビデオディスプレイ装置１００の図である。装置１００は独立型装置として使用可能で、あるいは、以下に詳細に説明のとおり、ビデオディスプレイ能力を提供するために他の製品に取り付けられ得る。
【００２０】
装置１００は格納ケース１１０を有し得る。ケース１１０は、たとえば、成型プラスティックまたは成型金属から製造され得る。ケース１１０のサイズは、用途に従って可変でもあり、たとえば、長方形、ハート型またはフットボール型であり得る。
【００２１】
装置１００は、ディスプレイ１０２を含む。ディスプレイ１０２は業界で既知の各種タイプ、たとえば、ツィステッドネマチック（ＴＮ）技術、スーパーツイステッド（ＳＴＮ）ネマチック技術、ポリマー分散液晶（ＰＤＬＣ）および双安定コレステリック液晶などの液晶表示装置（ＬＣＤ）、プラズマディスプレイパネル（ＰＤＰ）、表面オールタネートライティング（ＡＬｉＳ）、プラズマアドレスト液晶ディスプレイ（ＰＡＬＣＤ）、電界放出ディスプレイ（ＦＥＤ）、発光ダイオード（ＬＥＤ）、ＯＬＥＤ、発光ポリマー（ＬＥＰ）、および、電子インクであるが、これらに限定されない。ディスプレイは、実質的に頑丈またはフレキシブルであり得るが、これらに限定されない。
【００２２】
ディスプレイ１０２は白黒映像に限定し得るし、あるいは代わりにカラー映像を表示可能とし得る。ディスプレイ１０２のサイズと解像度は、また、用途に依存する。たとえば、サイズの制限がある用途では、ディスプレイ１０２は、８．７５平方インチ以下の表面積を有し得る。各種アスペクト比、たとえば、４対３アスペクト比または１６対９アスペクト比など、これらに限定されないが、より大きなサイズのスクリーンも本発明の範囲内である。
【００２３】
１個以上の電源２３０（図２参照）は、装置１００に含まれる電子回路／ディスプレイに電力を供給し得る。電源は電池であり得、その電池は充電可能であり得る。各種実施形態において、電源は、単独でまたは電池と接続して動作する太陽電池および／または光電池１０４を含み得る。そのような実施形態において、光電池１０４に十分な光量が照らされれば、１つ以上のビデオシーケンスが表示のために起動する。光が光電池上に照らされなくなった場合は、装置１００自身で電源を切り、装置自身をリセットする。もちろん、壁コンセントからのＡＣ電源、電磁界または放射線などの、これらに制限されないが、その他の電源が使用可能であることは理解されるべきである。
【００２４】
図２は、本発明の実施形態に従ったビデオディスプレイ装置１００の概略ブロック図である。装置１００は、ビデオデータを格納するメモリデバイス２０２を含む。好ましい実施形態において、メモリデバイス２０２はフラシュメモリである。しかし業界で既知のメモリデバイス、たとえば、ワンタイムプログラマブル読取り専用メモリ（ＯＴＰＲＯＭ）またはハードディスクもまた使用され得る。必要メモリ量は用途に依存する。各種の実施形態において、メモリデバイス２０２に格納されるビデオデータは、必要とされるメモリ量が分かるように、所定の持続期間のビデオシーケンス含む。ビデオシーケンスの持続期間は、必要メモリ量を少なくするため短く維持し得る。たとえば、ビデオシーケンスは、３０秒以下の持続期間を有し得るが、これに限定されない。より長いまたは複数のビデオシーケンスは必要メモリ数を増加するが、これもまた本発明の範囲内である。たとえば、ビデオシーケンスは、５分以上の持続期間を有し得るが、これに限定されない。
【００２５】
メモリデバイス２０２に格納されるビデオデータは、運動または実質的に静的なビデオシーケンスなどの動的ビデオシーケンスを含み得る。各種の実施形態において、メモリデバイス２０２に格納されるビデオデータは、たとえば、完全にコンピュータ生成し得る動画ビデオシーケンスを含み得るが、これに限定されない。
【００２６】
プログラミングポート１０６は、ビデオデータ付きメモリデバイス２０２をプログラミングするために備え得る。プログラミングポート１０６は、ビデオデータ付きメモリデバイス２０２をプログラミングするためのプログラミングデバイス（図示せず）と通信する能力がある。プログラミングポートは無線インターフェースを含み得る。
【００２７】
プログラミングポート１０６は双方向で、メモリデバイス２０２のプログラミングまたは読取りが可能であり得る。本発明のその他の実施形態において、プログラミングポート１０６は単方向プログラミングポートであり得る。単方向プログラミングポートは、データをメモリデバイス２０２にプログラミングすることができる。しかし、メモリデバイス２０２に格納されたビデオデータは、単方向プログラミングポートを介して読取ることはできない。たとえば、装置１００は、プログラミングデータパスのみに接続された単方向プログラミングポート付きで、メモリデバイス２０２への別のプログラミングおよび読取りデータパスを含み得る。さらにその他の実施形態において、プログラミングポート１０６（双方向または単方向）は、メモリデバイス２０２はプログラミングされた後に、ディスエーブルにされ得る。プログラミングポート１０６のディスエーブルは、たとえば、プログラミングポート１０６をシールすることによって、またはプログラミングポート１０６を切断することによって、達成し得る。さらにその他の実施形態において、ビデオディスプレイ装置１００はプログラミングポート１０６を含み得ない。その代わり、メモリデバイス２０２は、たとえば、ビデオディスプレイ装置１００の組立ての前に、事前プログラミングされ得る。より詳細には、メモリデバイス２０２は、ビデオデータを、メモリデバイス２０２をビデオディスプレイ装置１００に組入れる前に、またはビデオディスプレイ装置１００をケース１１０に組入れる前にロードし得る。
【００２８】
プログラミングポート１０６をディスエーブルすることによって、および／または単方向プログラミングポート１０６を使用することによって、または、装置１００の組み立て前にメモリデバイス２０２を事前にプロミラミングし、その結果プログラミングポートを不要にすることによって、ビデオディスプレイ装置１００は、エンドユーザによって変更ができないプログラミング済みビデオデータ付きで、工場または小売業者によって大量生産できる。プログラミング済みビデオデータがエンドユーザによって見られたり変更したりできないことは、ある用途において重要である。たとえば、メモリデバイス２０２に格納されたビデオデータは、スポーツクリップなどのライセンスビデオクリップを含み得る。メーカーはユーザがそれらをコピーしたり自由に配信したりするのを望まない。その他の実施形態において、メモリデバイス２０２に格納されたビデオデータは、医学または薬剤の指示を含み、それらは、もし変更されると健康に危険をもたらし得る。
【００２９】
コントローラ２０８は、ディスプレイ１０２およびメモリデバイス２０２を制御し、メモリデバイス２０２に格納されたビデオデータの関数としてビデオシーケンスを表示する。コントローラ２０８は、制御回路網、マイクロチップ、マイクロプロセッサ、ＦＰＧＡ、ソフトウェアおよび／またはマイクロコードを含むが、これらに限定されない。各種実施形態において、コントローラ２０８は、たとえば、コスト、サイズおよび／または電力要求が満足されるようにビデオディスプレイ装置１００用に特定的に設計される。メモリデバイス２０２に格納されたビデオデータは、コントローラ２０８によってディスプレイ１０２に書き込まれ、表示される。
【００３０】
ビデオディスプレイ装置１００は、コントローラ２０８を起動し、メモリデバイス２０２に含まれるビデオシーケンスを表示するための起動手段２１５を含み得る。起動手段２１５は、上記のように光を検知するための光電池、その他の種類の、たとえば音（たとえばパチン音（ｃｌａｐ））、運動、および／または温度を検出するために使用され得るセンサを含むが、それらに限定されない。各種の実施形態において、起動手段２１５は、ボタンまたはオペレータの操作を必要とし得る業界で既知のその他の種類のスイッチを含み得る。起動手段は、ペンホルダのペン、あるいは受話器台の電話などの品物の取外しまたは交換を検知するセンサを含み得る。
【００３１】
各種実施形態において、メモリデバイス２０２は、２つ以上のビデオシーケンスを含むビデオデータでプログラミングされ得る。起動手段２１５の起動の結果、各ビデオシーケンスは順次またランダムに、これらに限定しないが、表示される。ビデオシーケンスは、起動手段２１５が再度起動され、ビデオシーケンスの表示が中断されるまで、連続して表示され得る。その他の実施形態において、起動手段２１５の起動の結果、各ビデオシーケンスは１回のみ表示される。
【００３２】
ビデオデータは、第１のビデオシーケンスおよび第２のビデオシーケンスを含み得る。第１のビデオシーケンスは、起動手段２１５が起動していないときのみ表示され、第２のビデオシーケンスは、起動手段が起動しているときのみ表示される。第１のビデオシーケンスは、第２のシーケンスが終了した後に、再び表示され得る。このように、第２のビデオシーケンスは、起動手段２１５が起動されるまで「隠れて」いる。第１のビデオシーケンスは、時間、温度、気圧、および湿度などの、これらに限定されないが、通常連続的に表示される関数に関係し得る。
【００３３】
本発明の好ましい実施形態において、ビデオディスプレイ装置は、上述のように１個以上のビデオシーケンス１００を起動する起動手段２１５以外のオペレータインターフェ−スを有しない。起動次第、オペレータのさらなる操作なしに、１個以上のビデオシーケンスは、メモリデバイス２０２に含まれている格納されたビデオデータを基にディスプレイ１０２に表示される。
【００３４】
ビデオディスプレイ装置１００は、オーディオ機能をオプションで含み得る。たとえば、ビデオディスプレイ装置１００は、１個以上のスピーカー２２０を含み得る。
【００３５】
装置１００は、広範囲の各種の用途に使用されるよう改造できる独立型の装置であり得る。代わりに、内蔵型ビデオディスプレイ装置１００は、広範囲の各種の品物に取り付けてビデオディスプレイ機能を備え得る。ビデオディスプレイ装置１００は、各種接着剤または糊、ベルクロ（Ｖｅｌｃｒｏ）、ねじまたは業界で既知のその他の固定具、これらに限定されないが、によって品物に取り付け得る。たとえば、ビデオディスプレイ装置１００は、ケース１１０の内蔵型で、そのケースは品物に取り付けられ得る。
【００３６】
図３は、トロフィー３００または入賞の額やメダルなどその他の賞品に取り付けられたビデオディスプレイ装置１００の説明図である。トロフィーは、台３０５および台３０５から突出した人物像３１５を含み得る。人物像３１５は、トロフィーの賞に関連したイベントに関係し得る。メモリデバイス２０２内のビデオデータは、イベントのビデオシーケンスを含み得るが、これに限定されない。または通常イベントの種類に関係し得る。たとえば、ホッケートーナメントに関係したトロフィーに関して、トーナメントのホッケーの試合の特定のハイライト部分、ホッケーに関するより一般的なビデオシーケンス（例、ゴールに入るパックのビデオ）、および／またはディスプレイ１０２の全面にスクロールされる文章のメッセージを含み得る。
【００３７】
図４は、スポーツ用具１個、より詳細にはヘルメット４１０に取り付けられたビデオディスプレイ装置１００の図である。ケース１１０が取り付けられ得る広範囲の各種のスポーツ用具、たとえば、ゴルフバッグ、ゴルフボールマーカー、ボウリングバッグ、スキー、自転車およびバックパックが含まれることを理解されたい。
【００３８】
図５は、布１片、より詳細には、スニーカー５１０に取り付けられたビデオディスプレイ装置１００の図であるが、これに限定されない。図６は、マグネット６１０に取り付けられたビデオディスプレイ装置１００の図である。マグネット６１０は、たとえば冷蔵庫またはその他の金属表面の上に置かれ得る。
【００３９】
図７（ａ）は、製品を中に含むパッケージ７００に取り付けられたビデオディスプレイ装置１００の図である。そのパッケージには、ビデオディスプレイ装置１００が本発明の実施形態に従って説明を表示している。図７（ｂ）は、図９（ａ）のパッケージであり、ボタン２１５の起動時にさらなる説明を表示する。製品は、薬、医療器具、またはその他の製品であり得るが、これらに限定されない。
【００４０】
図８（ａ）は、独立型ビデオディスプレイ装置８００の図で、本発明の実施形態に従って、時計に改造され、第１のビデオシーケンスに基づき時間を表示する。図８（ｂ）は、図８（ａ）のビデオディスプレイ装置で、ボタン２１５の起動時に第２のビデオシーケンスを表示する。実施形態に上記記載のとおり、第２のビデオシーケンスが完了次第、ビデオディスプレイ装置８００は、時間表示に戻り得る。
【００４１】
ビデオディスプレイ装置は、通常、それが取り付け得る品物の外側表面に置かれる。その他の実施形態において、品物は、格納物を含み、ビデオディスプレイ装置１００は、その格納物内に含まれ得る。図９（ａ）は、本発明の実施形態に従った、卵形の格納物を有する品物９１０内に含まれたビデオディスプレイ装置１００の側面図であり、図９（ｂ）は、その正面図である。品物９１０は、ディスプレイ１０２を見るための入口９１５を含む。そのような実施形態において、ディスプレイ１０２上にビデオシーケンスの表示を起動するための起動手段２１５は、音や動き、これらに限定されないが、を検知する各種センサを含み得る。
【００４２】
内蔵型ビデオディスプレイ装置１００が、取り付け、あるいはそうでなければ、含めるため改造し得るその他の品物は、以下のとおりであるが、これらに限定されない。ロケット、バッジ、ブレスレットチャーム、ネックレスペンダントまたはブローチなどの人が身につける装身具類の１つ；温度計、気圧計、および／または湿度計；襟ピン、よそいきの装飾品；よそいきの飾りつけ；スポーツ記念品、スポーツまたはポップカルチャーの交換カードなどの交換カード；鍵用の小鎖；盤ゲームの駒（例えば、チェスのナイトに触れると、ナイトの攻撃のアニメーションを表示する）、ランプ、スイッチプレートおよび／または常夜灯；本の栞；額縁；マネークリップ；ボブルヘッド人形；時計および／またはタイマー；ペンセット、文鎮、ペーパークリップホルダー、ペンホルダーなどの、これらに限定されないがデスクアクセサリー；テレビ、映画画面、自動車、ボート、飛行機、および列車などの、これらに限定されないが、モデル；宗教の額、感傷的な品物；記念品およびテーマパーク品目であり得るが、これらに限定されないみやげ品；販促品および各種のおもちゃである。さらなる品物としては、バッグラベル、ダイレクトメール品目、グリーティングカード、小銭入れ、ハンドバッグ、および財布；ペットアクセサリーおよび名刺を含むが、これらに限定されない。
【００４３】
メモリデバイス１０２に入っているビデオデータに含まれるビデオシーケンスは、非常変化に富み得る。ビデオシーケンスの例は、医療品または薬品などの各種製品の使用説明、禁食または禁煙メッセージなどの自助メッセージ不動産の広告などの広告、宗教、教育または政治メッセージ、スポーツの場面、音楽映像場面、ロゴ、感傷的なメッセージ、アニメーション、生物および無生物を含むが、これらに限定する意図はない。
【００４４】
種々の実施形態において、開示されたコントローラは、少なくとも部分的には、コンピュータ読取り可能メディア（例、ディスケット、ＣＤ―ＲＯＭ、ＲＯＭまたは固定ディスク）などの有形メディアに記録された一連のコンピュータ命令を含むコンピュータプログラミング製品として実行され得る。同業者は、そのようなコンピュータ命令は、多くのプロセッサと共に使用するよう、いくつかのプログラミング言語で書き込み得ることを理解されるべきである。
【００４５】
本発明の種々の例示的な実施形態が開示されたが、同業者にとって、本発明の真の範囲から逸脱することなしに、本発明の利点のいくつかを達成する種々の変更と修正がなされ得ることは明らかである。これらのおよびその他の明らかな修正は、添付の特許請求の範囲によってカバーされることが意図されている。
【図面の簡単な説明】
【００４６】
【図１】図１は、本発明の実施形態に従った、ビデオディスプレイ装置の図である。
【図２】図２は、本発明の実施形態に従った、ビデオディスプレイ装置の概略のブロック図である。
【図３】図３は、本発明の実施形態に従った、トロフィーに取り付けられたビデオディスプレイ装置の図である。
【図４】図４は、本発明の実施形態に従った、ヘルメットに取り付けられたビデオディスプレイ装置の図である。
【図５】図５は、本発明の実施形態に従った、スニーカーに取り付けられたビデオディスプレイ装置の図である。
【図６】図６は、本発明の実施形態に従った、マグネットに取り付けられたビデオディスプレイ装置の図である。
【図７ａ】図７（ａ）は、本発明の実施形態に従った、製品を収納するためのパッケージで、そこにはビデオディスプレイ装置が説明を表示しているものに取り付けられたビデオディスプレイ装置の図である。
【図７ｂ】図７（ｂ）は、ボタンの起動次第、さらなる説明を表示する図９（ａ）のパッケージである。
【図８ａ】図８（ａ）は、本発明の実施形態に従った、第１のビデオシーケンスに基づき時計を表示するように改造された独立型のビデオディスプレイ装置の図である。
【図８ｂ】図８（ｂ）は、ボタンの起動次第、第２のビデオシーケンスを表示する図８（ａ）のビデオディスプレイ装置である。
【図９ａ】図９（ａ）は、本発明の実施形態に従った、卵形の格納物に含まれるビデオディスプレイ装置の側面図である。
【図９ｂ】図９（ａ）に示された卵形の格納物に含まれるビデオディスプレイ装置の正面図である。
【図１】
2007534989.tif 000003
【図２】
2007534989.tif 000004
【図３】
2007534989.tif 000005
【図４】
2007534989.tif 000006
【図５】
2007534989.tif 000007
【図６】
2007534989.tif 000008
【図７ａ】
2007534989.tif 000009
【図７ｂ】
2007534989.tif 000010
【図８（ａ）】
2007534989.tif 000011
【図８ｂ】
2007534989.tif 000012
【図９（ａ）】
2007534989.tif 000013
【図９（ｂ）】
2007534989.tif 000014
【国際調査報告】
2007534989.tif 000015
2007534989.tif 000016
2007534989.tif 000017